(57)【要約】【課題】加締め力の増大により気密性の向上を図りつつ、加締め力の増大に伴う板パッキンの変形を抑制し、ひいては絶縁体の破損をより確実に防止する。【解決手段】スパークプラグ１は、外周部分に軸線ＣＬ１方向先端側に向けて先細る段部１４を具備する絶縁碍子２と、環状の板パッキン２２と、内周部分に軸線ＣＬ１方向先端側に向けて先細るテーパ部２１を有し、当該テーパ部２１に前記板パッキン２２を介して前記段部１４が係止された状態で、後端部が加締められることにより前記絶縁碍子２を保持する主体金具２とを備える。また、前記テーパ部２１には、溝部４０が設けられる。このため、板パッキン２２のうち、テーパ部２１を平坦状とした場合であれば径方向外側や径方向内側へと広がってしまう部分の少なくとも一部が前記溝部４０に入り込むこととなる。【選択図】      図２
2010192184.tif 000002
【特許請求の範囲】
【請求項１】
軸線方向に延びる軸孔を有し、外周部分に前記軸線方向先端側に向けて先細る段部を具備する絶縁体と、
環状の板パッキンと、
略筒状をなすとともに、内周部分に前記軸線方向先端側に向けて先細るテーパ部を有し、当該テーパ部に前記板パッキンを介して前記段部が係止された状態で、後端部が加締められることにより前記絶縁体を保持する主体金具と
を備えた内燃機関用スパークプラグであって、
前記テーパ部に溝部を設けたことを特徴とする内燃機関用スパークプラグ。
【請求項２】
前記溝部の深さを、０．００５ｍｍ以上、かつ、前記板パッキンの厚さの半分以下としたことを特徴とする請求項１に記載の内燃機関用スパークプラグ。
【請求項３】
前記溝部の幅を、０．００５ｍｍ以上、かつ、前記板パッキンの幅の７０％以下としたことを特徴とする請求項１又は２に記載の内燃機関用スパークプラグ。
【請求項４】
前記溝部は、前記軸線を中心として環状に形成されていることを特徴とする請求項１乃至３のいずれか１項に記載の内燃機関用スパークプラグ。
【請求項５】
前記軸線を含む断面における、前記板パッキン及び前記テーパ部の接触部分の最外周部分と、前記接触部分の最内周部分との距離をＬとしたとき、
前記溝部は、
前記接触部分のうち内周側１／３の領域内において、０．１Ｌ以上の幅を有する第１の溝部と、
前記接触部分のうち外周側１／３の領域内において、０．１Ｌ以上の幅を有する第２の溝部とを備えることを特徴とする請求項１乃至４のいずれか１項に記載の内燃機関用スパークプラグ。
【請求項６】
前記主体金具は、
内燃機関のヘッドの取付孔に螺合するためのねじ部と、
前記ねじ部の後端側に設けられ、前記ねじ部のねじ径よりも大径に形成された座部とを備え、
前記軸線に沿った、前記主体金具の先端と前記座部との間の距離が２５ｍｍ以上とされていることを特徴とする請求項１乃至５のいずれか１項に記載の内燃機関用スパークプラグ。
【請求項７】
前記テーパ部の表面、及び、前記板パッキンの表面のうち少なくとも一方は、メッキで覆われていることを特徴とする請求項１乃至６のいずれか１項に記載の内燃機関用スパークプラグ。
【請求項８】
前記メッキは亜鉛メッキであることを特徴とする請求項７に記載の内燃機関用スパークプラグ。
【請求項９】
前記テーパ部の表面、及び、前記板パッキンの表面は、それぞれ亜鉛メッキで覆われていることを特徴とする請求項８に記載の内燃機関用スパークプラグ。
【発明の詳細な説明】
【技術分野】
【０００１】
本発明は、内燃機関に使用されるスパークプラグに関する。
【背景技術】
【０００２】
スパークプラグは、例えば、内燃機関（エンジン）に取付けられ、燃焼室内の混合気への着火のために用いられるものである。一般的にスパークプラグは、軸孔を有する絶縁体と、当該軸孔の先端側に挿通される中心電極と、軸孔の後端側に挿通される端子電極と、絶縁体の外周に設けられる主体金具と、主体金具の先端部に設けられ、中心電極との間で火花放電間隙を形成する接地電極とを備える。そして、中心電極に高電圧が印加されることで、両電極間の火花放電間隙において放電が生じ、混合気へと着火される。
【０００３】
また、前記絶縁体は、主体金具の内部に挿入され、自身の外周部分に形成された段部が、主体金具の内周部に形成されたテーパ部に係止された状態で、前記主体金具の後端開口部を径方向内側に加締めることにより、主体金具に保持される。このとき、主体金具のテーパ部及び絶縁体の段部の間には、主体金具と絶縁体との間に入り込む混合気等が外部に漏れ出してしまうことを防止すべく、円環状の板パッキンが介在される（例えば、特許文献１等参照）。
【０００４】
ところで近年、内燃機関の高出力化の要請から、混合気の高圧縮化が図られている。このため、混合気等の漏れ出しをより確実に防止し、良好な気密性を確保するという観点から、前記主体金具の後端開口部の加締め力を増大させ、前記テーパ部及び段部と板パッキンとの間のシール性をより向上させることが考えられる。
【先行技術文献】
【特許文献】
【０００５】
【特許文献１】特開２００５−１９０７６２号公報
【発明の概要】
【発明が解決しようとする課題】
【０００６】
しかしながら、前記加締め力を増大させた場合には、板パッキンが大きく変形してしまい、前記テーパ部及び段部の間から板パッキンが径方向内側や径方向外側へとはみ出してしまうおそれがある。その結果、板パッキンのうち径方向内側にはみ出した部分によって絶縁体が挟み込まれてしまったり、径方向外側にはみ出した部分が絶縁体と主体金具との間に入り込んでしまったりして、絶縁体に割れ等の破損が生じてしまうおそれがある。
【０００７】
本発明は、上記事情を鑑みてなされたものであり、その目的は、加締め力の増大により気密性の向上を図りつつ、加締め力の増大に伴う板パッキンの変形を抑制することができ、ひいては絶縁体の破損をより確実に防止できる内燃機関用スパークプラグを提供することにある。
【課題を解決するための手段】
【０００８】
以下、上記目的を解決するのに適した各構成につき、項分けして説明する。なお、必要に応じて対応する構成に特有の作用効果を付記する。
【０００９】
構成１．本構成の内燃機関用スパークプラグは、軸線方向に延びる軸孔を有し、外周部分に前記軸線方向先端側に向けて先細る段部を具備する絶縁体と、
環状の板パッキンと、
略筒状をなすとともに、内周部分に前記軸線方向先端側に向けて先細るテーパ部を有し、当該テーパ部に前記板パッキンを介して前記段部が係止された状態で、後端部が加締められることにより前記絶縁体を保持する主体金具と
を備えた内燃機関用スパークプラグであって、
前記テーパ部に溝部を設けたことを特徴とする内燃機関用スパークプラグ。
【００１０】
上記構成１によれば、テーパ部には溝部が設けられている。このため、主体金具の後端部を加締めることで、前記板パッキンが変形することとなったとき、板パッキンの一部が溝部に入り込むこととなる。つまり、板パッキンのうち、テーパ部を平坦状とした場合であれば径方向外側や径方向内側へと広がってしまう部分の少なくとも一部を溝部に入り込ませることができる。その結果、板パッキンの径方向外側や径方向内側へのはみ出しをより確実に防止することができる。
【００１１】
さらに、テーパ部に溝部を設けることで、テーパ部表面の摩擦抵抗を増加させることができる。このため、上述の通り、溝部に対して板パッキンの一部が入り込むことと相俟って、テーパ部に対して板パッキンが（径方向外側や径方向内側へと）相対移動してしまうことをより確実に抑制することができ、板パッキンのはみ出しをより一層抑制できる。
【００１２】
尚、板パッキンのはみ出しを抑制できることから、主体金具後端部の加締め力をより増大させることができ、ひいては気密性の一層の向上を図ることができる。
【００１３】
構成２．本構成の内燃機関用スパークプラグは、上記構成１において、前記溝部の深さを、０．００５ｍｍ以上、かつ、前記板パッキンの厚さの半分以下としたことを特徴とする。
【００１４】
上記構成２によれば、溝部の深さが０．００５ｍｍ以上とされているため、板パッキンのうち溝部に入り込む部位の体積をより増大させることができるとともに、テーパ部表面の摩擦抵抗の更なる増大を図ることができる。その結果、板パッキンのはみ出しを一層確実に抑制することができ、絶縁体の破損をより一層確実に防止することができる。
【００１５】
加えて、溝部の深さが板パッキンの厚さの半分以下とされているため、テーパ部及び板パッキン間において十分なシール性を確保することができ、優れた気密性を実現することができる。
【００１６】
構成３．本構成の内燃機関用スパークプラグは、上記構成１又は２において、前記溝部の幅を、０．００５ｍｍ以上、かつ、前記板パッキンの幅の７０％以下としたことを特徴とする。
【００１７】
上記構成３によれば、溝部の幅が０．００５ｍｍ以上とされるため、より広範囲に亘って板パッキンを溝部に対して入り込ませることができる。そのため、板パッキンのはみ出しを一層抑制することができ、絶縁体の破損防止を一層図ることができる。
【００１８】
また、溝部の幅を板パッキンの幅の７０％以下とすることで、テーパ部に対して板パッキンをより確実に密着させることができ、気密性の更なる向上を図ることができる。
【００１９】
構成４．本構成の内燃機関用スパークプラグは、上記構成１乃至３のいずれかにおいて、前記溝部は、前記軸線を中心として環状に形成されていることを特徴とする。
【００２０】
上記構成４によれば、溝部が軸線を中心として環状に形成されるため、テーパ部のうち溝部が形成されていない部位の表面と板パッキンとの接触部分、すなわち、テーパ部と板パッキンとが隙間なく密着する部分を環状に形成することができる。従って、主体金具及び絶縁体間に入り込む混合気等の外部への漏れ出しをより効果的に防止でき、気密性を一層向上させることができる。
【００２１】
また、周方向に延びる連続的な溝部を設けることで、周方向に沿って板パッキンを溝部に入り込ませることができる。これにより、周方向全域において、板パッキンのはみ出しを均等に抑制することができ、絶縁体の破損防止をより確実に図ることができる。
【００２２】
構成５．本構成の内燃機関用スパークプラグは、上記構成１乃至４のいずれかにおいて、前記軸線を含む断面における、前記板パッキン及び前記テーパ部の接触部分の最外周部分と、前記接触部分の最内周部分との距離をＬとしたとき、
前記溝部は、
前記接触部分のうち内周側１／３の領域内において、０．１Ｌ以上の幅を有する第１の溝部と、
前記接触部分のうち外周側１／３の領域内において、０．１Ｌ以上の幅を有する第２の溝部とを備えることを特徴とする。
【００２３】
尚、第１（第２）の溝部の幅を０．１Ｌ以上とするにあたっては、０．１Ｌ以上の幅を有する溝部を１つ設けることとしてもよいし、幅の合計が０．１Ｌ以上となるように複数の溝部を設けることとしてもよい。従って、例えば、内周側１／３の領域内に、０．１Ｌの幅を有する溝部を１つ設ける一方で、外周側１／３の領域内に、０．０５Ｌの幅を有する溝部を２つ設けるようにしてもよい。
【００２４】
上記構成５によれば、板パッキン及びテーパ部の接触部分のうち、内周側の１／３の領域と外周側１／３の領域との双方に０．１Ｌ以上の幅を有する溝部が設けられている。このため、板パッキンのうち、特にはみ出しが懸念される内周側部分及び外周側部分を、第１の溝部及び第２の溝部に対して入り込ませることができる。また、溝部が０．１Ｌ以上の幅を有するため、板パッキンの内周側部分及び外周側部分の広範囲を溝部に対して入り込ませることができる。その結果、径方向内側及び径方向外側の両方向への板パッキンのはみ出しをより確実に防止することができ、絶縁体の損傷を一層確実に防止することができる。
【００２５】
構成６．本構成の内燃機関用スパークプラグは、上記構成１乃至５のいずれかにおいて、前記主体金具は、
内燃機関のヘッドの取付孔に螺合するためのねじ部と、
前記ねじ部の後端側に設けられ、前記ねじ部のねじ径よりも大径に形成された座部とを備え、
前記軸線に沿った、前記主体金具の先端と前記座部との間の距離が２５ｍｍ以上とされていることを特徴とする。
【００２６】
近年、放熱性向上を図るべく、主体金具の先端から座部までの距離をより長くしたスパークプラグ（いわゆる、ロングリーチタイプのプラグ）が提案されている。ところで、このようなスパークプラグは、主体金具の後端部分（加締め部分）から板パッキンまでの距離、すなわち、主体金具のうち絶縁体を保持する部分（絶縁体保持部）の軸線に沿った距離が比較的長いものとなる。そのため、プラグ使用時には、熱膨張により絶縁体保持部の延び量が比較的大きくなってしまいやすく、主体金具及び絶縁体間のシール性の低下、ひいては燃焼室内の気密性の低下を招いてしまいやすい。そこで、気密性の低下を防止すべく、主体金具後端部の加締め力を増大させることが考えられるが、加締め力を増大させれば、上述の通り、板パッキンの変形やそれに伴う絶縁体の破損といった不具合が発生してしまうおそれがある。すなわち、ロングリーチタイプのスパークプラグは、十分な気密性を維持しようとした場合において、上記不具合の発生がより懸念されるものである。
【００２７】
ここで、上記構成６のスパークプラグは、主体金具の先端と座部との間の軸線に沿った距離が２５ｍｍ以上と比較的長くされており、上述した不具合の発生がより懸念されるものであるが、上記各構成を採用することで、不具合の発生をより確実に防止することができる。換言すれば、上記各構成は、主体金具の先端から座部までの距離を比較的長くしたスパークプラグにおいて、特に有意であるといえる。
【００２８】
構成７．本構成の内燃機関用スパークプラグは、上記構成１乃至６のいずれかにおいて、前記テーパ部の表面、及び、前記板パッキンの表面のうち少なくとも一方は、メッキで覆われていることを特徴とする。
【００２９】
上記構成７によれば、テーパ部の表面及び板パッキンの表面のうち少なくとも一方には、メッキで覆われている。そのため、テーパ部及び板パッキン間の摩擦抵抗の更なる増大を図ることができ、テーパ部に対する板パッキンの相対移動をより確実に規制することができる。その結果、板パッキンのはみ出しを一層確実に防止することができる。
【００３０】
構成８．本構成の内燃機関用スパークプラグは、上記構成７において、前記メッキは亜鉛メッキであることを特徴とする。
【００３１】
上記構成８によれば、メッキとして亜鉛メッキを用いることで、テーパ部及び板パッキン間の摩擦抵抗を飛躍的に増大させることができ、板パッキンのはみ出しをより一層確実に防止することができる。
【００３２】
構成９．本構成の内燃機関用スパークプラグは、上記構成８において、前記テーパ部の表面、及び、前記板パッキンの表面は、それぞれ亜鉛メッキで覆われていることを特徴とする。
【００３３】
上記構成９によれば、テーパ部及び板パッキンの双方が亜鉛メッキで覆われるため、テーパ部と板パッキンとの間の摩擦抵抗の更なる増大を図ることができる。その結果、板パッキンのはみ出しをより効果的に防止することができる。
【図面の簡単な説明】
【００３４】
【図１】スパークプラグの構成を示す一部破断正面図である。
【図２】テーパ部の構成等を模式的に示す拡大断面端面図である。
【図３】溝部の形状を示す拡大平面模式図である。
【図４】溝部の深さとパッキン最大変形量との関係を表すグラフである。
【図５】溝部の幅とパッキン最大変形量との関係を表すグラフである。
【図６】（ａ）〜（ｃ）は、評価試験における、所定サンプルの溝部の形成位置と、溝部の幅の大きさとを模式的に説明するための拡大断面端面図である。
【発明を実施するための形態】
【００３５】
以下に、一実施形態について図面を参照しつつ説明する。図１は、内燃機関用スパークプラグ（以下、「スパークプラグ」と称す）１を示す一部破断正面図である。なお、図１では、スパークプラグ１の軸線ＣＬ１方向を図面における上下方向とし、下側をスパークプラグ１の先端側、上側を後端側として説明する。
【００３６】
スパークプラグ１は、筒状をなす絶縁体としての絶縁碍子２、これを保持する筒状の主体金具３などから構成されるものである。
【００３７】
絶縁碍子２は、周知のようにアルミナ等を焼成して形成されており、その外形部において、後端側に形成された後端側胴部１０と、当該後端側胴部１０よりも先端側において径方向外向きに突出形成された大径部１１と、当該大径部１１よりも先端側においてこれよりも細径に形成された中胴部１２と、当該中胴部１２よりも先端側においてこれより細径に形成された脚長部１３とを備えている。加えて、絶縁碍子２のうち、大径部１１、中胴部１２、及び、大部分の脚長部１３は、主体金具３の内部に収容されている。また、脚長部１３と中胴部１２との連接部には、軸線ＣＬ１方向先端側へと先細るテーパ状の段部１４が形成されており、当該段部１４にて絶縁碍子２が主体金具３に係止されている。
【００３８】
さらに、絶縁碍子２には、軸線ＣＬ１に沿って軸孔４が貫通形成されており、当該軸孔４の先端側には中心電極５が挿入、固定されている。当該中心電極５は、銅又は銅合金からなる内層５Ａと、ニッケル（Ｎｉ）を主成分とするＮｉ合金からなる外層５Ｂとにより構成されている。また、中心電極５は、全体として棒状（円柱状）をなし、その先端面が平坦に形成されるとともに、絶縁碍子２の先端から突出している。さらに、中心電極５の先端部には、貴金属合金（例えば、イリジウム合金）により形成された円柱状の貴金属チップ３１が接合されている。
【００３９】
また、軸孔４の後端側には、絶縁碍子２の後端から突出した状態で端子電極６が挿入、固定されている。
【００４０】
さらに、軸孔４の中心電極５と端子電極６との間には、円柱状の抵抗体７が配設されている。当該抵抗体７の両端部は、導電性のガラスシール層８，９を介して、中心電極５と端子電極６とにそれぞれ電気的に接続されている。
【００４１】
加えて、前記主体金具３は、低炭素鋼等の金属により筒状に形成されており、その外周面にはスパークプラグ１をエンジンヘッドに取付けるためのねじ部（雄ねじ部）１５が形成されている。また、ねじ部１５の後端側の外周面には座部１６が形成され、ねじ部１５後端のねじ首１７にはリング状のガスケット１８が嵌め込まれている。さらに、主体金具３の後端側には、スパークプラグ１をエンジンヘッドに取付ける際にレンチ等の工具を係合させるための断面六角形状の工具係合部１９が設けられるとともに、後端部において絶縁碍子２を保持するための加締め部２０が設けられている。尚、本実施形態においては、スパークプラグ１の放熱性を向上させるべく、座部１６から主体金具３の先端までの軸線ＣＬ１に沿った距離Ｄｍが比較的長く（例えば、２５ｍｍ以上に）されている。
【００４２】
さらに、主体金具３の内周面には、絶縁碍子２を係止するための軸線ＣＬ１先端側へと先細るテーパ部２１が設けられている。そして、前記絶縁碍子２は、主体金具３の後端側から先端側に向かって挿入され、自身の段部１４が主体金具３の前記テーパ部２１に係止された状態で、主体金具３の後端側の開口部を径方向内側に加締めること、つまり上記加締め部２０を形成することによって主体金具３に保持される。尚、絶縁碍子２の段部１４及び主体金具３のテーパ部２１間には、円環状の板パッキン２２が介在されている。これにより、燃焼室内の気密性を保持し、燃焼室内に晒される絶縁碍子２の脚長部１３と主体金具３の内周面との隙間に入り込む混合気等が外部に漏れないようになっている。
【００４３】
さらに、加締めによる密閉をより完全なものとするため、主体金具３の後端側においては、主体金具３と絶縁碍子２との間に環状のリング部材２３，２４が介在され、リング部材２３，２４間にはタルク（滑石）２５の粉末が充填されている。すなわち、主体金具３は、板パッキン２２、リング部材２３，２４及びタルク２５を介して絶縁碍子２を保持している。
【００４４】
また、主体金具３の先端部２６には、自身の略中間が曲げ返されて、その側面が中心電極５の先端部と対向する接地電極２７が接合されている。加えて、接地電極２７の先端部には、貴金属合金（例えば、白金合金）よりなる円柱状の貴金属チップ３２が接合されている。そして、前記貴金属チップ３１，３２の間には、火花放電間隙３３が形成されており、当該火花放電間隙３３において、前記軸線ＣＬ１にほぼ沿った方向で火花放電が行われる。
【００４５】
さらに、図２及び図３に示すように、前記主体金具３のテーパ部２１のうち、前記板パッキン２２に接触する面には、軸線ＣＬ１を中心として円環状をなす溝部４０が形成されており、当該溝部４０は、第１の溝部４１、第２の溝部４２、及び、第３の溝部４３を備えている。尚、本実施形態では、各溝部４１〜４３は、それぞれ等しい幅Ｗｇを有しており、各溝部４１〜４３の幅Ｗｇが０．００５ｍｍ以上とされる一方で、前記板パッキン２２の幅（例えば、１ｍｍ）Ｗｐの７０％以下とされている。また、各溝部４１〜４３の深さＤｇについても、それぞれ等しいものとされており、各溝部４１〜４３の深さＤｇは、０．００５ｍｍ以上とされる一方で、前記板パッキン２２の厚さ（例えば、０．２ｍｍ）Ｔｐの半分以下とされている。
【００４６】
さらに、軸線ＣＬ１を含む断面における、板パッキン２２及びテーパ部２１の接触部分の最外周部分と前記接触部分の最内周部分との距離をＬ（本実施形態では、前記板パッキン２２の幅Ｗｐと等しい）としたとき、前記接触部分のうち内周側１／３の領域（内周側領域）ＩＡ内に、前記第１の溝部４１が設けられている。さらに、前記接触部分のうち外周側１／３の領域（外周側領域）ＯＡ内に、前記第２の溝部４２が設けられている。加えて、両溝部４１，４２の幅Ｗｇについては、０．１Ｌ以上の大きさを有するように設定されている。
【００４７】
加えて、前記板パッキン２２の表面全域は、メッキ（例えば、亜鉛メッキ）で覆われている。
【００４８】
次に、上記のように構成されてなるスパークプラグ１の製造方法について説明する。まず、主体金具３を予め加工しておく。すなわち、円柱状の金属素材（例えばＳ１７ＣやＳ２５Ｃといった鉄系素材やステンレス素材）を冷間鍛造加工により貫通孔を形成し、概形を製造する。その後、切削加工を施すことで外形を整え、主体金具中間体を得る。
【００４９】
続いて、主体金具中間体の先端面に、Ｎｉ合金からなる直棒状の接地電極２７を抵抗溶接する。当該溶接に際してはいわゆる「ダレ」が生じるので、その「ダレ」を除去した後、主体金具中間体の所定部位にねじ部１５が転造によって形成される。これにより、接地電極２７の溶接された主体金具３が得られる。また、接地電極２７の溶接された主体金具３には、亜鉛メッキ或いはニッケルメッキが施される。尚、耐食性向上を図るべく、その表面に、さらにクロメート処理が施されることとしてもよい。メッキ処理が施された後、接地電極２７先端部のメッキが除去される。
【００５０】
一方、前記主体金具３とは別に、絶縁碍子２を成形加工しておく。例えば、アルミナを主体としバインダ等を含む原料粉末を用い、成型用素地造粒物を調製し、これを用いてラバープレス成形を行うことで、筒状の成形体が得られる。そして、得られた成形体に対し、研削加工が施され外形が整形された上で、焼成加工が施されることにより絶縁碍子２が得られる。
【００５１】
また、前記主体金具３、絶縁碍子２とは別に、中心電極５を製造しておく。すなわち、中央部に放熱性向上を図るための銅合金を配置したＮｉ合金を鍛造加工して中心電極５を作製する。次に、中心電極５の先端部に対して貴金属チップ３１がレーザ溶接等により接合される。
【００５２】
加えて、前記主体金具３を構成する金属素材よりも軟質の軟鋼板を打抜くとともに、打抜いたものに浸炭処理、又は、浸炭窒化処理を施すことによって板パッキン２２を作製する。次いで、板パッキン２２に対して、亜鉛メッキ処理を施すことにより、板パッキン２２の表面に亜鉛メッキ被膜を形成する。尚、組付け前の板パッキン２２は、略平板状をなしている。
【００５３】
そして、上記のようにして得られた絶縁碍子２及び中心電極５と、抵抗体７と、端子電極６とが、ガラスシール層８，９によって封着固定される。ガラスシール層８，９としては、一般的にホウ珪酸ガラスと金属粉末とが混合されて調製されており、当該調製されたものが抵抗体７を挟むようにして絶縁碍子２の軸孔４内に注入された後、後方から前記端子電極６が押圧された状態で、焼成炉内にて焼き固められる。尚、このとき、絶縁碍子２の後端側胴部１０の表面には釉薬層が同時に焼成されることとしてもよいし、事前に釉薬層が形成されることとしてもよい。
【００５４】
その後、上記のようにそれぞれ作製された中心電極５及び端子電極６を備える絶縁碍子２と、接地電極２７を備える主体金具３とが組付けられる。すなわち、前記テーパ部２１上に板パッキン２２を配置した上で、前記主体金具３の貫通孔の後端側開口部から絶縁碍子２を挿入し、比較的薄肉に形成された前記主体金具３の後端側開口部を径方向内側に加締める（つまり、加締め部２０を形成する）ことにより絶縁碍子２と主体金具３とが組付けられる。尚、上記加締めが行われることにより、略平板状であった板パッキン２２は、絶縁碍子２の段部１４及び主体金具３のテーパ部２１に沿って変形する。これにより、板パッキン２２は、段部１４及びテーパ部２１に密着するとともに、自身の一部が前記溝部４１〜４３に入り込むこととなる。尚、本実施形態においては、熱膨張等に伴い、主体金具３による絶縁碍子２の保持力が低下してしまうことを防止すべく、比較的大きな加締め力をもって主体金具３の後端側開口部が加締められる。
【００５５】
次いで、メッキが除去された接地電極２７の先端部に、貴金属チップ３２が抵抗溶接される。そして最後に、接地電極２７の略中間部分を屈曲させることで、貴金属チップ３１，３２間の前記火花放電間隙３３の大きさを調整する加工が実施され、上述のスパークプラグ１が得られる。
【００５６】
以上詳述したように、本実施形態によれば、テーパ部２１のうち板パッキン２２と接する面には、溝部４０（第１〜第３の溝部４１〜４３）が設けられている。このため、主体金具３の後端部を加締めることで、前記板パッキン２２が変形したとき、板パッキン２２の一部が溝部４０に入り込むこととなる。つまり、板パッキン２２のうち、テーパ部を平坦状とした場合であれば径方向外側や径方向内側へと広がってしまう部分の少なくとも一部を溝部４０に入り込ませることができる。その結果、板パッキン２２の径方向外側や径方向内側へのはみ出しをより確実に防止することができる。
【００５７】
さらに、テーパ部２１に溝部４０を設けることで、テーパ部２１表面の摩擦抵抗を増加させることができる。このため、上述の通り、溝部４０に対して板パッキン２２の一部が入り込むことと相俟って、テーパ部２１に対して板パッキン２２が（径方向外側や径方向内側へと）相対移動してしまうことをより確実に抑制することができ、板パッキン２２のはみ出しを一層抑制することができる。
【００５８】
また、板パッキン２２のはみ出しを抑制できることから、主体金具３後端部の加締め力をより増大させることができ、ひいては気密性の一層の向上を図ることができる。
【００５９】
加えて、溝部４０の深さＤｇが０．００５ｍｍ以上とされているため、板パッキン２２のうち溝部４０に入り込む部位の体積をより増大させることができるとともに、テーパ部２１表面の摩擦抵抗の更なる増大を図ることができる。その結果、板パッキン２２のはみ出しを一層確実に抑制することができ、絶縁碍子２の破損をより一層確実に防止することができる。併せて、溝部４０の深さＤｇが板パッキン２２の厚さＴｐの半分以下とされているため、テーパ部２１及び板パッキン２２間において十分なシール性を確保することができ、優れた気密性を実現することができる。
【００６０】
さらに、溝部４０の幅Ｗｇが０．００５ｍｍ以上とされるため、より広範囲に亘って板パッキン２２を溝部４０に対して入り込ませることができる。そのため、板パッキン２２のはみ出しを一層抑制することができ、絶縁碍子２の更なる破損防止を図ることができる。また、溝部４０の幅Ｗｇを板パッキン２２の幅Ｗｐの７０％以下とすることで、テーパ部２１に対して板パッキン２２をより確実に密着させることができ、気密性の更なる向上を図ることができる。
【００６１】
また、溝部４０が軸線ＣＬ１を中心として環状に形成されるため、テーパ部２１のうち溝部４０が形成されていない部位の表面と板パッキン２２との接触部分、すなわち、テーパ部２１と板パッキン２２とが隙間なく密着する部分を環状に形成することができる。従って、主体金具３及び絶縁碍子２間に入り込む混合気等の外部への漏れ出しをより効果的に防止でき、気密性を一層向上させることができる。また、周方向に延びる連続的な溝部４０を設けることで、周方向に沿って板パッキン２２を溝部４０に入り込ませることができる。これにより、周方向全域において、板パッキン２２のはみ出しを抑制することができる。
【００６２】
加えて、板パッキン２２及びテーパ部２１の接触部分のうち、内周側領域ＩＡと外周側領域ＯＡとの双方に０．１Ｌ以上の幅を有する第１の溝部４１及び第２の溝部４２が設けられている。このため、板パッキン２２のうち、特にはみ出しが懸念される内周側部分及び外周側部分を、第１の溝部４１及び第２の溝部４２に対して入り込ませることができる。また、溝部４１，４２が０．１Ｌ以上の幅を有するため、板パッキン２２の内周側部分及び外周側部分の広範囲を溝部４１，４２に対して入り込ませることができる。その結果、径方向内側及び径方向外側の両方向への板パッキン２２のはみ出しをより確実に防止することができ、絶縁碍子２の損傷を一層確実に防止することができる。
【００６３】
併せて、テーパ部２１の表面が亜鉛メッキ被膜で覆われているため、テーパ部２１及び板パッキン２２間の摩擦抵抗の更なる増大を図ることができ、ひいては板パッキン２２のはみ出しをより一層確実に防止することができる。
【００６４】
次に、本実施形態によって奏される作用効果を確認すべく、パッキン変形量評価試験を行った。パッキン変形量評価試験の概要は次の通りである。すなわち、主体金具のテーパ部に種々異なる幅、及び、深さを有する溝部を形成した上で、絶縁碍子を主体金具に組付けてなるスパークプラグのサンプルを作製した。そして、組付け後における、絶縁碍子の段部及び前記テーパ部間からの径方向外側又は径方向内側への板パッキンのはみ出し量の最大値（パッキン最大変形量）を測定した。図４に、溝部の深さと、パッキン最大変形量との関係を表すグラフを示す。また、図５に、溝部の幅と、パッキン最大変形量との関係を表すグラフを示す。尚、図４に示す試験においては、溝部の幅を０．０１０ｍｍとし、図５に示す試験においては、溝部の深さを０．０１０ｍｍとした。加えて、板パッキンとしては、厚さが０．２００ｍｍ、幅が１．０００ｍｍのものを用いた。尚、溝部の幅や深さ、板パッキンの厚さ等は、それぞれ組付け後において測定した値である（以下、同様）。
【００６５】
図４，５に示すように、テーパ部に溝部を設けたサンプルは、溝部を設けなかったサンプル（つまり、溝部の深さや幅が０．０００ｍｍのサンプル）と比較して、パッキン最大変形量が大幅に減少し、板パッキンのはみ出しが効果的に抑制されることが明らかとなった。これは、テーパ部に溝部を設けたことにより、溝部に板パッキンを入り込ませたり、テーパ部表面の摩擦抵抗を増大させることができたためであると考えられる。
【００６６】
また特に、溝部の深さを０．００５ｍｍ以上としたり、溝部の幅を０．００５ｍｍ以上としたサンプルは、パッキン最大変形量が０．０３ｍｍ以下となり、板パッキンのはみ出しを非常に効果的に抑制できることがわかった。
【００６７】
次いで、溝部の深さや幅を種々変更したスパークプラグのサンプルについて、気密性評価試験を行った。気密性評価試験の概要は次の通りである。すなわち、各サンプルをエンジンヘッドを模した試験台に組付けた上で、サンプルの座部を２００℃に加熱しつつ、空気により１．５ＭＰａの圧力を加え続け、主体金具及び絶縁碍子間から空気の漏洩の有無を確認した。ここで空気の漏洩が認められた場合には、気密性が低下しているとして「×」の評価を下し、一方で、空気の漏洩が認められなかった場合には、十分な気密性を有するとして「○」の評価を下した。表１に、溝部の深さを種々変更したサンプルについての評価試験の結果を示す。また、表２に、溝部の幅を種々変更したサンプルについての評価試験の結果を示す。尚、板パッキンの厚さ等は、上記パッキン変形量評価試験と同様のものとした。
【００６８】
【表１】
2010192184.tif 000003
【００６９】
【表２】
2010192184.tif 000004
表１に示すように、溝部の深さを０．１５０ｍｍとしたサンプル、すなわち、溝部の深さが板パッキンの厚さ（０．２００ｍｍ）の半分を超えていたサンプルは、気密性が低下してしまうことがわかった。また、表２に示すように、溝部の幅が０．７００ｍｍを超えるサンプル、つまり、溝部の幅が板パッキンの幅の７０％を超えるサンプルについても、気密性の低下が認められた。これは、溝部の深さや幅が過大なものとなったことで、テーパ部に対する板パッキンの密着性が損なわれてしまったことによると考えられる。
【００７０】
これに対して、溝部の深さを０．１００ｍｍ以下（板パッキンの厚さの半分以下）としたり、溝部の幅を０．７０ｍｍ以下（板パッキンの幅の７０％以下）としたサンプルは、優れた気密性を有することが明らかとなった。
【００７１】
次に、テーパ部における溝部の形成位置と、当該溝部の幅とを種々変更したサンプルを作製し、上述のパッキン変形量評価試験及び気密性評価試験を行った。尚、今回のパッキン変形量評価試験においては、板パッキンのはみ出しが抑制されていたサンプルについて、さらに、次のような基準をもって細かく評価を行った。すなわち、径方向内側又は外側への板パッキンのはみ出し量が、従来技術に係るサンプル（溝部を設けなかったサンプル）と比較して低減されていた場合には、板パッキンのはみ出しを抑制できているとして「○」の評価を下し、径方向内側又は外側への板パッキンのはみ出し量が、従来技術に係るサンプルと比較して大幅に低減されていた場合には、板パッキンのはみ出しを極めて効果的に抑制できているとして「◎」の評価を下した。尚、各サンプルともに、溝部の深さを０．０１０ｍｍとし、テーパ部及び板パッキンの接触部分の最内周部分から最外周部分までの距離（接触部分の幅）を１．０００ｍｍとした。
【００７２】
加えて、各サンプルにおける、溝部の形成位置及び溝部の幅は、それぞれ次の通りとした。すなわち、テーパ部及び板パッキンの接触部分の幅をＬとしたとき、サンプル１は、当該接触部分のうち内周側１／３の領域（内周側領域）内に、０．２Ｌの幅を有する溝部を設けたものであり、サンプル２は、接触部分の外周側１／３の領域（外周側領域）内に、０．２Ｌの幅を有する溝部を設けたものである。また、サンプル３は、前記内周側領域及び外周側領域の間の領域（中央側領域）内に、０．２Ｌの幅を有する溝部を設けたものであり、サンプル４は、中央側領域の全域に１／３Ｌの幅を有する溝部を設けたものである。さらに、サンプル５は、外周側領域の内周側１０％の領域から内周側領域の外周側１０％の領域にかけて溝部を設けた、つまり、テーパ部の中央部分に８／１５Ｌの幅を有する溝部を設けたものである。加えて、サンプル６は、外周側領域に０．０５Ｌの幅を有する溝部を設けるとともに、内周側領域に０．０５Ｌの幅を有する溝部を設けたものであり、サンプル７は、外周側領域に０．１５Ｌの幅を有する溝部を設けるとともに、内周側領域に０．０５Ｌの幅を有する溝部を設けたものである。併せて、サンプル８は、外周側領域に０．０５Ｌの幅を有する溝部を設けるとともに、内周側領域に０．１５Ｌの幅を有する溝部を設けたものであり、サンプル９は、内周側領域及び外周側領域にそれぞれ０．１Ｌの幅を有する溝部を設けたものである。例えば、サンプル１は、図６（ａ）に示すように溝部を設けたものであり、サンプル５は、図６（ｂ）に示すように溝部を設けたものであり、サンプル９は、図６（ｃ）に示すように溝部を設けたものである。表３に、径方向内側への板パッキンのはみ出し量の評価、径方向外側への板パッキンのはみ出し量の評価、及び、気密性評価試験の結果を示す。
【００７３】
【表３】
2010192184.tif 000005
表３に示すように、各サンプルとも板パッキンのはみ出しが抑制されるとともに、優れた気密性を有していたものの、特に、外周側領域や内周側領域に０．１Ｌ以上の幅の溝部を設けたサンプル（サンプル１，２，５，７，８，９）は、径方向外側や径方向内側への板パッキンのはみ出しを大幅に抑制できることがわかった。また、これらサンプルの中でも、外周側領域及び内周側領域の双方に０．１Ｌ以上の幅を有する溝部を設けたサンプル（サンプル５，９）は、径方向外側及び内側の両方向への板パッキンのはみ出しが大幅に抑制されることが認められた。
【００７４】
次いで、テーパ部に溝部を形成するとともに、板パッキンの表面を亜鉛メッキ被膜で覆ったもの（サンプルＡ）、テーパ部に溝部を形成したが、板パッキンに亜鉛メッキ被膜を設けなかったもの（サンプルＢ）、並びに、溝部及び亜鉛メッキ被膜を設けなかったもの（サンプルＣ）について、主体金具後端部の加締め力を種々変更することで、それぞれが同等の気密性を有するようにしつつ、その気密性を段階的に変更した種々のスパークプラグのサンプルを作製した。そして、各サンプルについて上述のパッキン変形量評価試験を行い、パッキン最大変形量を測定した。尚、「同等の気密性を有する」とあるのは、上述した気密性評価試験における空気の漏洩量が等しい場合をいう。表４に、気密性（すなわち、加締め力）を種々変更させた場合における、サンプルＡ〜Ｃのパッキン最大変形量を示す。尚、同表中の「気密性」の欄には、漏洩量割合を示す。「漏洩量割合」とは、溝部や亜鉛メッキ被膜を設けなかったものであって、板パッキンにはみ出しが生じなかったときの最大加締め力で主体金具後端部を加締めたものについて、上述の気密性評価試験を行ったときの空気の漏洩量に対する、各サンプルについて気密性評価試験を行ったときの空気の漏洩量の割合である。尚、漏洩量割合が小さいほど、主体金具の後端部が大きな力をもって加締められたこととなる。
【００７５】
【表４】
2010192184.tif 000006
表４に示すように、溝部及びメッキ被膜を設けなかったサンプルＣ（従来技術に係るもの）に関しては、気密性を高めるに従って、すなわち、主体金具後端部の加締め力を増大させるに従って、板パッキンのはみ出しが極度に増大してしまうことがわかった。
【００７６】
これに対して、テーパ部に溝部を設けたサンプルＢは、気密性を高めるべく、前記加締め力を増大させた場合であっても、板パッキンのはみ出しを抑制できることが明らかとなった。また特に、溝部を設けるとともに、板パッキンの表面に亜鉛メッキ被膜を設けたサンプルＡは、板パッキンのはみ出しをより一層抑制できることが認められた。これは、パッキンの表面に亜鉛メッキ被膜を設けたことで、テーパ部及び板パッキン間の摩擦抵抗が増大し、テーパ部に対する板パッキンの相対移動が規制されたことに起因すると考えられる。
【００７７】
以上、各評価試験の結果を総合的に勘案すると、絶縁碍子の損傷を防止すべく、板パッキンのはみ出しを抑制するという観点から、テーパ部に溝部を設けることが有意であるといえる。
【００７８】
また、板パッキンのはみ出しをより確実に防止する観点から、溝部の深さを０．００５ｍｍ以上としたり、溝部の幅を０．００５ｍｍ以上としたりすることが特に有意であるといえる。
【００７９】
加えて、板パッキンのはみ出しの更なる抑制を図るという観点から、外周側領域や内周側領域に０．１Ｌ以上の幅の溝部を設けることが好ましく、特に、外周側領域及び内周側領域の双方に、０．１Ｌ以上の幅を有する溝部を設けることが、径方向外側及び径方向内側の両方向への板パッキンのはみ出しを抑制するという点で、より好ましいといえる。
【００８０】
併せて、板パッキンの表面に亜鉛メッキ被膜を設けることで、板パッキンのはみ出しをより効果的に抑制できるといえる。
【００８１】
一方で、気密性を十分に維持するという観点からは、溝部の深さを板パッキンの厚さの半分以下としたり、溝部の幅を板パッキンの幅の７０％以下としたりすることが好ましいといえる。
【００８２】
尚、上記実施形態の記載内容に限定されず、例えば次のように実施してもよい。勿論、以下において例示しない他の応用例、変更例も当然可能である。
【００８３】
（ａ）上記実施形態では、第１の溝部４１、第２の溝部４２、及び、第３の溝部４３と３つの溝部が設けられているが、溝部の数はこれに限定されるものではない。また、溝部４０の形成位置に関しても、上記実施形態の形成位置に限定されるものではない。
【００８４】
（ｂ）上記実施形態では、溝部４０の幅Ｗｇ及び深さＤｇがそれぞれ等しいものとされているが、溝部４０の幅Ｗｇや深さＤｇをそれぞれ異ならせることとしてもよい。従って、上記実施形態においては、溝部４０の深さＤｇ、及び、溝部４０の幅Ｗｇがそれぞれ０．００５ｍｍ以上とされているが、例えば、溝部４０の深さＤｇや幅Ｗｇを０．００５ｍｍ未満としてもよい。
【００８５】
（ｃ）上記実施形態において、溝部４０は、軸線ＣＬ１を中心とする環状に形成されているが、溝部４０の形状は環状に限定されるものではない。従って、溝部は、例えば、テーパ部２１の表面に設けられた複数の凹部であってもよい。
【００８６】
（ｄ）上記実施形態では、板パッキン２２の表面全域が亜鉛メッキ被膜で覆われているが、板パッキン２２のうちテーパ部２１側の表面のみを亜鉛メッキ被膜で覆うこととしてもよい。また、板パッキン２２の表面に代えて、テーパ部２１の表面を亜鉛メッキ被膜で覆うこととしてもよいし、テーパ部２１及び板パッキン２２の双方の表面を亜鉛メッキ被膜で覆うこととしてもよい。
【００８７】
（ｅ）上記実施形態では、板パッキン２２に対して亜鉛メッキ処理が施されているが、Ｎｉメッキ等、他のメッキ処理を施すこととしてもよい。この場合であっても、テーパ部２１及び板パッキン２２間の摩擦抵抗の増大を図ることができ、テーパ部２１に対する板パッキン２２の相対移動をより確実に規制することができる。
【００８８】
（ｆ）上記実施形態では、座部１６から主体金具３の先端までの軸線ＣＬ１に沿った距離Ｄｍが比較的長く（例えば、２５ｍｍ以上に）されているが、座部１６から主体金具３の先端までの軸線ＣＬ１に沿った距離Ｄｍの大きさは何ら限定されるものではない。
【００８９】
（ｇ）上記実施形態では、中心電極５及び接地電極２７の先端部に、貴金属チップ３１，３２が設けられているが、貴金属チップ３１，３２の双方、或いは、一方を省略して構成することとしてもよい。
【００９０】
（ｈ）上記実施形態では、主体金具３の先端面に、接地電極２７が接合される場合について具体化しているが、主体金具の一部（又は、主体金具に予め溶接してある先端金具の一部）を削り出すようにして接地電極を形成する場合についても適用可能である（例えば、特開２００６−２３６９０６号公報等）。また、主体金具３の先端部２６の側面に接地電極２７を接合することとしてもよい。
【００９１】
（ｉ）上記実施形態では、工具係合部１９は断面六角形状とされているが、工具係合部１９の形状に関しては、このような形状に限定されるものではない。従って、例えば、Ｂｉ−ＨＥＸ（変形１２角）形状〔ＩＳＯ２２９７７：２００５（Ｅ）〕等とされていてもよい。
【符号の説明】
【００９２】
１…スパークプラグ（内燃機関用スパークプラグ）
２…絶縁碍子（絶縁体）
３…主体金具
４…軸孔
１４…段部
１５…ねじ部
１６…座部
２１…テーパ部
２２…板パッキン
４０…溝部
４１…第１の溝部
４２…第２の溝部
ＣＬ１…軸線
【図１】
2010192184.tif 000007
【図２】
2010192184.tif 000008
【図３】
2010192184.tif 000009
【図４】
2010192184.tif 000010
【図５】
2010192184.tif 000011
【図６】
2010192184.tif 000012